(57)【特許請求の範囲】
【請求項１】
複数の入力ポートと、
該複数の入力ポートに入力されたデータを所定の割合で多重化し、伝送経路の帯域に合致する多重化データを得る多重化処理部と、
前記複数の入力ポートのそれぞれのトラフィック量を監視するトラフィック量監視部と、
前記複数の入力ポートのうちの、前記トラフィック量監視部が取得したトラフィック量が０である入力ポートを帯域の割当対象から除外して、前記トラフィック量監視部が取得した他の各前記入力ポートのトラフィック量に応じて、前記多重化処理部が多重化する際の前記割合を定めることにより帯域の割当てを行う帯域割当部とを備えることを特徴とするデータ伝送装置。
【請求項２】
前記帯域割当部は、帯域に空きが生じないように前記帯域の割当てを行うことを特徴とする請求項１に記載のデータ伝送装置。
【請求項３】
各前記入力ポートのリンク状態を監視するリンク状態監視部をさらに備え、
前記帯域割当部は、該リンク状態監視部によりリンク断と検出した入力ポートがあるときに、該入力ポートを帯域の割当対象から除外して帯域の再割当てを行うことを特徴とする請求項１または２に記載のデータ伝送装置。
【請求項４】
前記帯域割当部は、前記リンク状態監視部により、リンク断の入力ポートのリンク復旧を検出した際に、該入力ポートを帯域の割当対象に入れて帯域の再割当てを行うことを特徴とする請求項３に記載のデータ伝送装置。
【請求項５】
前記複数の入力ポートは、入力されたデータを一時的に格納する送信バッファがそれぞれ設けられており、
前記トラフィック量監視部は、前記送信バッファに格納されたデータ量を監視することによりそれぞれの入力ポートのトラフィック量を取得することを特徴とする請求項１から４のいずれか１項に記載のデータ伝送装置。
【請求項６】
前記帯域割当部は、定められた割合に応じて、各前記送信バッファに格納されたデータの読出時間を制御することにより帯域の割当てを実行することを特徴とする請求項１から５のいずれか１項に記載のデータ伝送装置。
【請求項７】
前記入力ポートに入力されるデータは、前記伝送経路の伝送速度より速い伝送速度で前記入力ポートに送信されることを特徴とする請求項１から６のいずれか１項に記載のデータ伝送装置。
【請求項８】
前記伝送経路は、無線経路であることを特徴とする請求項７に記載のデータ伝送装置。
【請求項９】
複数の入力ポートに入力されたデータを所定の割合で多重化し、伝送経路の帯域に合致する多重化データを得て前記伝送経路に出力する伝送装置における前記複数の入力ポートに対する帯域割当方法において、
前記複数の入力ポートのそれぞれのトラフィック量を監視し、
前記複数の入力ポートのうちの、トラフィック量が０である入力ポートを帯域の割当対象から除外して、他の各前記入力ポートのトラフィック量に応じて前記割合を定めることにより帯域の割当てを行うことを特徴とする帯域割当方法。
【請求項１０】
帯域に空きが生じないように前記帯域の割当を行うことを特徴とする請求項９に記載の帯域割当方法。
【請求項１１】
各前記入力ポートのリンク状態の監視をさらに行い、
リンク断と検出した入力ポートがあるときに、該入力ポートを帯域の割当対象から除外して帯域の再割当てを行うことを特徴とする請求項９または１０に記載の帯域割当方法。
【請求項１２】
リンク断の入力ポートのリンク復旧を検出した際に、該入力ポートを帯域の割当対象に入れて帯域の再割当てを行うことを特徴とする請求項１１に記載の帯域割当方法。
【請求項１３】
前記複数の入力ポートに対してそれぞれ設けられた、該入力ポートに入力されたデータを一時的に格納する送信バッファに格納されたデータ量を監視することによりそれぞれの入力ポートのトラフィック量を取得することを特徴とする請求項９から１２のいずれか１項に記載の帯域割当方法。
【請求項１４】
定められた前記割合に応じて、各前記送信バッファに格納されたデータの読出時間を制御することにより帯域の割当てを実行することを特徴とする請求項９から１３のいずれか１項に記載の帯域割当方法。
【発明の詳細な説明】
【技術分野】
【０００１】
本発明は、帯域制御技術に関する。
【背景技術】
【０００２】
ネットワーク通信システムにおける帯域制御は、システムの効率を左右する重要な要素であり、様々な視点から制御手法が提案されている。
【０００３】
例えば、特許文献１には、元々音声を伝送するために設計されたＳＯＮＥＴ／ＳＤＨネットワーク（ＳＯＮＥＴ：Ｓｙｎｃｈｒｏｎｏｕｓ  Ｏｐｔｉｃａｌ  Ｎｅｔｗｏｒｋ、ＳＤＨ：Ｓｙｎｃｈｒｏｎｏｕｓ  Ｄｉｇｉｔａｌ  Ｈｉｅｒａｒｃｈｙ）を、ＩＰ（Ｉｎｔｅｒｎｅｔ  Ｐｒｏｔｏｃｏｌ）に代表される様々なデータ通信に利用する際に、ＳＯＮＥＴ／ＳＤＨネットワークの帯域を効率的に利用する手法が開示されている。
【０００４】
ＳＯＮＥＴ／ＳＤＨネットワークをＩＰパケットの伝送に利用する際に、仮想連結（ＶＣＡＴ：Ｖｉｒｔｕａｌ  Ｃｏｃａｔｅｎａｔｉｏｎ）を用いる技術がある。ＶＣＡＴ技術を使わなければ、例えば１００Ｍｂｐｓのファースト・イーサネット（登録商標）パケットを伝送する際に、１００Ｍｂｐｓに最も近いＳＴＳ−３ｃ（約１５５Ｍｂｐｓ）パスを使用することになり、約５５Ｍｂｐｓの帯域が無駄になってしまう。一方、ＶＣＡＴ技術を利用すれば、５１．８４ＭｂｐｓのＳＴＳ１パスを２本束にしたＳＴＳ−２ｖ（約１００Ｍｂｐｓ）パスを使用することができ、帯域の無駄を回避することができる。
【０００５】
ＳＴＳ−２ｖのようなＳＯＮＥＴ／ＳＤＨパスを束ねて得たパスはＶＣＡＴパスと呼ばれ、ＶＣＡＴパスに含まれる各々のＳＯＮＥＴ／ＳＤＨパスはメンバーパスと呼ばれる。メンバーパスの削除、追加によりＶＣＡＴパスの帯域を変更することができる。
【０００６】
特許文献１に開示された手法は、ＶＣＡＴ技術を利用してＩＰパケットを伝送する際に、各入力ポートに入力されたトラフィック量を収集し、各々の入力ポートポートの入力トラフィック量に応じた必要なＶＣＡＴパスの帯域を自動的に算出して、メンバーパスの削除、追加を行う。すなわち、この技術は、入力トラフィック量に応じて伝送帯域を変更する。
【０００７】
また、特許文献２と特許文献３には、伝送帯域が一定である場合の帯域制御技術を開示している。
特許文献２には、ネットワーク例えばＬＡＮ（Ｌｏｃａｌ  Ａｒｅａ  Ｎｅｔｗｏｒｋ）端末の伝送速度よりも遅い伝送速度を有する伝送経路により、端末からのデータを別の端末に伝送する際に、伝送経路の帯域割当てを制御する手法が開示されている。この手法は、ＬＡＮにおける複数の端末から送信されるデータを、上記伝送経路を介して、該複数の端末のうちの宛先の端末に送信するときに、伝送経路の伝送速度に対応する一定周期の１フレームを、上記複数の端末の数以上のタイムスロットに分割し、分割したタイムスロットをこれらの端末に夫々割り当てて送信する。また、この手法は、１つの端末には少なくとも１つのタイムスロットが割り当てられており、もし、１フレームを構成する複数のタイムに空きチャネルがある場合、複数の端末に対して予め定められた優先順序に従い、該空きチャネルを割り当てることにより、伝送経路の伝送帯域資源を有効に利用することができる。
【０００８】
特許文献３には、インターネットアクセスネットワークにおいて、ユーザサービスの向上を図る帯域制御手法が開示されている。この手法は、ダイヤルアップ方式のインターネットアクセス網での帯域管理方式であるＢｏＤ（Ｂａｎｄｗｉｄｔｈ  ｏｎ  Ｄｅｍｏｎｄ）技術を用いるものであり、各ＢｏＤチャネルのＩＰパケットの平均トラフィックを監視し、監視結果に応じて夫々のＢｏＤチャネルに割り当てる帯域を制御する。具体的な制御手法としては、上記平均トラフィックが規定値を一定時間超えたＢｏＤチャネルに対しては帯域を増加させ、平均トラフィックが規定値を一定時間下回ったＢｏＤチャネルに対しては帯域を減少させる方法が挙げられている（「００１２」、「００１３」）。
【特許文献１】特開２００５−１８４３０１号公報
【特許文献２】特開２００４−３６３９７３号公報
【特許文献３】特開２００２−３１９９６９号公報
【発明の開示】
【発明が解決しようとする課題】
【０００９】
ところで、特許文献２の技術は、電気的に接続されている端末であれば、それについてのトラフィックの有無に関わらず常に一定の伝送帯域（タイムスロット）が割り当てられている。これでは、トラフィックが発生していない端末でも伝送帯域を占めることになるため、伝送効率が低下してしまうという問題がある。
【００１０】
また、特許文献３の技術は、複数のＢｏＤチャネルにより伝送帯域を共有しているにも関わらず、伝送帯域の制御は、規定値を基にチャネル個々について行っている。例えば、あるＢｏＤチャネルの平均トラフィックが規定値を一定時間超過したため、それに対して帯域増加させた後、別のＢｏＤチャネルの平均トラフィックも上記規定値を一定時間超過した場合、この別のＢｏＤチャネルに対する帯域も増加させることになる。先のチャネルに対して帯域を増加させるときに、伝送帯域がいっぱいになるように帯域を増加させれば、後のチャネルに対して帯域を増加させることができないか、無理に増加させることによりデータの取りこぼしが生じてしまう。一方、先のチャネルに対して帯域を増加させるときに余裕を残すようにすれば、帯域に無駄が生じ、効率が低下する。すなわち、この手法は、複数のチャネル間についての帯域の増減の制御をより工夫しなければ、返ってシステムの伝送効率を悪くしてしまう恐れがある。
【００１１】
本発明は、上記事情に鑑みてなされたものであり、伝送効率を確実に高める伝送帯域制御技術を提供する。
【課題を解決するための手段】
【００１２】
本発明の一つの態様は、データ伝送装置である。このデータ伝送装置は、複数の入力ポートと、該複数の入力ポートに入力されたデータを所定の割合で多重化し、伝送経路の帯域に合致する多重化データを得る多重化処理部と、上記複数の入力ポートのそれぞれのトラフィック量を監視するトラフィック量監視部と、該トラフィック量監視部によって取得された各入力ポートのトラフィック量に応じて、多重化処理部が多重化する際の上記割合を定めることにより帯域の割当てを行う帯域割当部を備える。
【００１３】
なお、上記態様の装置を帯域割当方法や、該方法をコンピュータに実行せしめるプログラムとして置き換えて表現したものも、本発明の態様としては有効である。
【発明の効果】
【００１４】
本発明にかかる技術によれば、帯域が共有されるデータ伝送経路の帯域制御を行い、確実に伝送効率の向上を図ることができる。
【発明を実施するための最良の形態】
【００１５】
以下の説明に用いられる図面に、様々な処理を行う機能ブロックとして記載される各要素は、ハードウェア的には、プロセッサ、メモリ、その他の回路で構成することができ、ソフトウェア的には、メモリに記録された、またはロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。また、分かりやすいように、これらの図面において、本発明の技術を説明するために必要なもののみを示す。
【００１６】
本発明の具体的な実施の形態を説明する前に、まず、本発明の原理を説明する。
図１は、本発明の原理を説明するためのデータ伝送装置５０の模式図である。データ伝送装置５０は、複数の入力ポート（分かりやすいように図１において入力ポート５１と入力ポート５２のみを示す）と、トラフィック量監視部６０と、帯域割当部７０と、多重化処理部８０を有する。なお、このデータ伝送装置５０は、例えば図示しないＩＥＥＥ８０２．３に準拠するＬＡＮに接続されており、ＬＡＮにおける各端末からのデータを伝送経路に送出する。伝送経路は、一定の帯域を有し、例えば、伝送速度がＬＡＮにおける各端末の伝送速度以下である無線伝送経路である。
【００１７】
入力ポート５１と入力ポート５２には、ＬＡＮにおける各端末からのデータ（以下ＬＡＮデータという）が入力される。
【００１８】
多重化処理部８０は、入力ポート５１と入力ポート５２に入力されたＬＡＮデータを所定の割合で多重化して、伝送経路の帯域に合致する多重化データを得て伝送経路に送出する。この割合は、帯域割当部７０により制御される。
【００１９】
トラフィック量監視部６０は、入力ポート５１と入力ポート５２のトラフィック量を監視して帯域割当部７０に提供する。
【００２０】
帯域割当部７０は、トラフィック量監視部６０により得られた各入力ポートのトラフィック量に応じて、多重化処理部８０が多重化する際の上記割合を制御する。この制御は、各入力ポートへ割り当てる処理に該当する。
【００２１】
データ伝送装置５０は、各入力ポートのトラフィック量に応じて上記割合を制御するので、制御が簡単である。また、入力ポートへ帯域を割り当てる際に、個々の入力ポートの帯域を独立に増減させるではなく、これらの入力ポートへ割り当てる帯域の割合を制御することになるので、伝送経路の帯域を最大限に利用しつつ、入力ポートのトラフィック状況に応じた帯域制御が可能である。その結果、確実に伝送効率を高めることができる。
【００２２】
以上の説明を踏まえて本発明の実施の形態を説明する。
図２は、本発明の実施の形態にかかるデータ伝送システム９０を示す。
データ伝送システム９０は、伝送装置１００と、無線伝送路１９０と、無線伝送路１９０を介して伝送装置１００に対向して接続された伝送装置２００を備える。伝送装置１００は、図示しないＬＡＮに接続しており、伝送装置２００は、別の図示しないＬＡＮに接続している。伝送装置１００と伝送装置２００は、無線伝送路１９０を介してこれらのＬＡＮ間で通信データを伝送する。
【００２３】
伝送装置１００と伝送装置２００は同じ構成を有するため、ここで、伝送装置１００についでのみ詳細な図示と説明をする。
【００２４】
図１に示すように、伝送装置１００は、複数のＬＡＮ入出力回路（図示の例では２つ：ＬＡＮ入出力回路１０１とＬＡＮ入出力回路１０２）と、それぞれのＬＡＮ入出力回路に対応する送信バッファ１１１と送信バッファ１１２と、リンク状態監視回路１２０と、データ量取得回路１３０と、制御情報生成回路１４０と、多重化処理部１５０と、無線送受信回路１６０と、分離処理部１７０と、それぞれのＬＡＮ入出力回路に対応する受信バッファ１８１と受信バッファ１８２を備える。
【００２５】
ＬＡＮ入出力回路１０１とＬＡＮ入出力回路１０２は、入出力ポートであり、伝送装置１００と接続されたＬＡＮにおける端末からの入力されたデータ（ＬＡＮデータ）を受信してＬＡＮデータの終端を実施すると共に、受信したＬＡＮデータをそれぞれの対応する送信バッファに出力する。また、対応する受信バッファからのデータを該データの宛先の端末に出力する。ＬＡＮ入出力回路１０１とＬＡＮ入出力回路１０２は、さらに、自身が接続したＬＡＮ伝送路の接続状態を監視し、接続障害が生じたことを検出すると、リンク断を示すアラーム信号（ＡＭ１、ＡＭ２）をリンク状態監視回路１２０に出力する。また、接続障害が生じたＬＡＮ伝送路が復旧したことを検出した際にも、リンク復旧を示すアラーム信号をリンク状態監視回路１２０に出力する。
【００２６】
リンク状態監視回路１２０は、ＬＡＮ入出力回路１０１とＬＡＮ入出力回路１０２からのアラーム信号を監視し、いずれかのＬＡＮ入出力回路からリンク断を示すアラーム信号を受信したときに、当該ＬＡＮ入出力回路のリンク断を示すポート状態情報Ｐを制御情報生成回路１４０に出力し、いずれかのＬＡＮ入出力回路からリンク復旧を示すアラーム信号を受信したときに、当該ＬＡＮ入出力回路のリンク復旧を示すポート状態情報Ｐを制御情報生成回路１４０に出力する。
【００２７】
送信バッファ１１１と送信バッファ１１２は、対応するＬＡＮ入出力回路が受信したＬＡＮデータを一時的に格納すると共に、後述する送信バッファ読出イネーブル信号Ｅｎａ１と送信バッファ読出イネーブル信号Ｅｎａ２に従い、バイト単位で格納されたＬＡＮデータを多重化処理部１５０、具体的には多重化処理部１５０における後述するペイロード多重回路１５１に出力する。送信バッファ１１１と送信バッファ１１２からペイロード多重回路１５１に出力されるデータを、以下読出ＬＡＮデータＤ１と読出ＬＡＮデータＤ２という。
【００２８】
各ＬＡＮ入出力回路に送信バッファを設けることにより、それぞれのＬＡＮ入出力回路に入力されるバーストデータであるＬＡＮデータの遅延差、データ長の差異を吸収することができると共に、データ量取得回路１３０による各ＬＡＮ入出力回路のトラフィック量の取得が容易にできる。
【００２９】
データ量取得回路１３０は、トラフィック量監視部として動作し、一定時間間隔で送信バッファ１１１と送信バッファ１１２に格納されたＬＮＡデータのデータ量をそれぞれ取得して、それらを示すデータ量情報（Ｓ１とＳ２）を制御情報生成回路１４０に出力する。データ量情報Ｓ１とデータ量情報Ｓ２は、ＬＡＮ入出力回路１０１とＬＡＮ入出力回路１０２のトラフィック量を示す。
【００３０】
制御情報生成回路１４０には、データ量取得回路１３０からのデータ量情報Ｓ１とデータ量情報Ｓ２、ポート状態情報Ｐ以外に、ユーザ設定信号が入力される。ユーザ設定信号は、送信バッファ１１１と送信バッファ１１２の両方にデータが蓄積されているときに、送信バッファ１１１と送信バッファ１１２の読出ＬＡＮデータの割合を示す信号であり、予めユーザにより設定される。なお、送信バッファ１１１の読出ＬＡＮデータＤ１と、送信バッファ１１２の読出ＬＡＮデータＤ２の割合は、ここでは送信バッファ１１１と送信バッファ１１２からデータを出力する時間の長さの比率である。
【００３１】
制御情報生成回路１４０は、帯域割当部として機能し、ユーザ設定信号と、ポート状態情報Ｐ、データ量情報Ｓ１とＳ２を元に、読出ＬＡＮデータＤ１と読出ＬＡＮデータＤ２の割合に応じた送信バッファ読出イネーブル信号Ｅｎａ１と送信バッファ読出イネーブル信号Ｅｎａ２を生成して対応する送信バッファおよびペイロード多重回路１５１に出力する。また、制御情報生成回路１４０は、ユーザ設定信号と、ポート状態情報Ｐ、データ量情報Ｓ１とＳ２を元に、オーバーヘッド情報として、ＬＡＮデータ長、出力先ポート、ＬＡＮデータ分割数、アイドルデータ挿入情報も生成して、多重化処理部１５０における後述するオーバーヘッド多重回路１５２に出力する。
【００３２】
多重化処理部１５０は、ペイロード多重回路１５１とオーバーヘッド多重回路１５２を有し、送信バッファ１１１と送信バッファ１１２からのＬＡＮデータを多重化して無線フレームを生成して無線送受信回路１６０に出力する。無線フレームは、無線伝送路１９０により伝送されるデータのフォーマットを有し、オーバーヘッドとペイロードから構成される固定長フレームである。
【００３３】
ペイロード多重回路１５１は、制御情報生成回路１４０からの送信バッファ読出イネーブル信号Ｅｎａ１と送信バッファ読出イネーブル信号Ｅｎａ２に従い、送信バッファからの読出ＬＡＮデータＤ１と読出ＬＡＮデータＤ２を取り込んで多重化し、無線フレームのペイロードとしてオーバーヘッド多重回路１５２に出力する。なお、オーバーヘッド多重回路１５２は、送信バッファ１１１と送信バッファ１１２内のデータが０バイトであるとき、ペイロード多重回路１５１は、データが無いことを示すアイドルデータをペイロードとして生成してオーバーヘッド多重回路１５２に出力する。
【００３４】
オーバーヘッド多重回路１５２は、制御情報生成回路１４０からのオーバーヘッド情報を無線フレームのオーバーヘッド部に多重して、さらにペイロード多重回路１５１からのペイロードと合成して無線フレームを生成する。
【００３５】
無線送受信回路１６０は、多重化処理部１５０により生成された無線フレームを無線伝送路１９０に出力する。また、対向の伝送装置２００から無線フレームを受信した際に、この無線フレームを分離処理部１７０に転送する。
【００３６】
分離処理部１７０は、抽出回路１７１と、オーバーヘッド情報処理回路１７２と、ＬＡＮデータ抽出回路１７３を備える。抽出回路１７１は、無線送受信回路１６０からの無線フレームからオーバーヘッドとペイロードを抽出して、オーバーヘッド情報処理回路１７２とＬＡＮデータ抽出回路１７３にそれぞれ出力する。
【００３７】
オーバーヘッド情報処理回路１７２は、抽出回路１７１からのオーバーヘッドからＬＡＮデータ長、出力先ポート、ＬＡＮデータ分割数、アイドルデータ挿入情報を抽出してＬＡＮデータ抽出回路１７３に出力する。
【００３８】
ＬＡＮデータ抽出回路１７３は、オーバーヘッド情報処理回路１７２からのＬＡＮデータ長を元に多重化されたペイロードデータをそれぞれ抽出する。これにより、無線フレームからＬＡＮデータが再生される。ＬＡＮデータ抽出回路１７３は、再生したＬＡＮデータを、出力先ポートにより指定される、出力先のＬＡＮ入出力回路に対応する受信バッファ（受信バッファ１８１または受信バッファ１８２）に出力する。
【００３９】
受信バッファ１８１と受信バッファ１８２は、ＬＡＮデータ抽出回路１７３からのＬＡＮデータを格納する。これらのＬＡＮデータは、後に、対応するＬＡＮ入出力回路により宛先の端末に出力される。なお、無線送受信回路１６０が受信した無線フレームに対する処理については、従来の伝送装置と同じであるので、詳細な説明を省略する。
【００４０】
ここで、伝送装置１００が、自身が接続したＬＡＮにおける端末からのＬＡＮデータを伝送装置２００に出力する際の帯域の割当について詳細に説明する。
【００４１】
制御情報生成回路１４０は、デフォルトとして、ユーザ設定信号が示す割合に応じたデフォルトの送信バッファ読出イネーブル信号Ｅｎａ１と送信バッファ読出イネーブル信号Ｅｎａ２を生成して送信バッファ１１１と送信バッファ１１２に出力する。例として、この割合が２：８であるとする。その後、下記のように帯域の割当、すなわち送信バッファ読出イネーブル信号Ｅｎａ１と送信バッファ読出イネーブル信号Ｅｎａ２の割合を定める。
【００４２】
デフォルトの割合で帯域の割当をしても無線フレームのペイロードに空きが生じない量のＬＡＮデータが送信バッファ１１１と送信バッファ１１２に蓄積されている場合、デフォルトの割合で帯域を割り当てる。
【００４３】
この場合は、図３に示すように、送信バッファ１１１と送信バッファ１１２の両方にも十分な量のＬＡＮデータが蓄積されており、帯域が上記２：８の割合で割り当てられたときに、読出ＬＡＮデータＤ１は、送信バッファ１１１に蓄積されたＬＡＮデータの一部（Ａ）であり、読出ＬＡＮデータＤ２は、送信バッファ１１２に蓄積されたＬＡＮデータの一部（Ｂ）となる。この場合、送信バッファ読出イネーブル信号と読出ＬＡＮデータの関係は図４に示すようになる。
【００４４】
図４に示すように、送信バッファ読出イネーブル信号Ｅｎａ１がオンする時間と、送信バッファ読出イネーブル信号Ｅｎａ２がオンする時間の長さの比率が２：８であり、そのため、送信バッファ１１１からの読出ＬＡＮデータＤ１と、送信バッファ１１２からの読出ＬＡＮデータＤ２との比率も２：８になる。
【００４５】
また、図５に示すように、読出ＬＡＮデータＤ１と読出ＬＡＮデータＤ２から生成された無線フレームのペイロード部には空きが無い。
【００４６】
一方、デフォルトの割合で帯域の割当をすると、無線フレームのペイロードに空きが生じる場合、制御情報生成回路１４０は、無線フレームのペイロードに空きが生じないように帯域を割り当てる。これについて、図６〜図８を参照して説明する。
【００４７】
図６に示す例では、送信バッファ１１１には、ＬＡＮデータＡが格納されており、送信バッファ１１２には、ＬＡＮデータＣが格納されている。ＬＡＮデータＣの量は、デフォルトの２：８の割合で帯域を割り当てるときに、割り当てられた帯域に満たない。この場合、２：８の割合で帯域を割り当てると、無線フレームは、図７に示すように空きペイロード領域がある一方、ＬＡＮデータＡは１／４しか伝送されない。
【００４８】
そこで、伝送装置１００の制御情報生成回路１４０は、空きペイロード領域が生じないように割合を変更して帯域を割り当てる。例えば、割合を２：８から７：３に変更して、これにより、無線フレームのペイロード部は、図８に示すように、送信バッファ１１２に格納されたＬＡＮデータＣ全部と、送信バッファ１１１に格納されたＬＡＮデータＡの１／２により構成され、空き領域が無い。そのため、システム全体の伝送効率が向上する。
【００４９】
また、制御情報生成回路１４０は、送信バッファ１１１と送信バッファ１１２のいずれかにＬＡＮデータの蓄積が無いときに、当該送信バッファに対応するＬＡＮ入出力回路に割り当てる帯域をゼロにし、他方の送信バッファに対応するＬＡＮ入出力回路に全帯域を割り当てる。
【００５０】
また、リンク状態監視回路１２０から、いずれかのＬＡＮ入出力回路のリンク断を示すポート状態情報Ｐを受信した際にも、当該送信バッファに対応するＬＡＮ入出力回路に割り当てる帯域をゼロにし、他方の送信バッファに対応するＬＡＮ入出力回路に全帯域を割り当てる。その後、リンク状態監視回路１２０から、当該ＬＡＮ入出力回路のリンク復旧を示すポート状態情報Ｐを受信すると、割当対象に該ＬＡＮ入出力回路を入れてトラフィック量に応じた帯域の再割当てを行う。
【００５１】
このように、本実施の形態のデータ伝送システム９０によれば、伝送装置１００と伝送装置２００は、無線伝送路１９０を介して無線フレームを伝送する際に、ＬＡＮ入出力回路のトラフィック量に応じてＬＡＮ入出力回路に割り当てる帯域の割合を変更することにより、無線伝送路１９０の帯域を効率的に利用することができる。
【００５２】
以上、実施の形態をもとに本発明を説明した。実施の形態は例示であり、本発明の主旨から逸脱しない限り、さまざまな変更、増減を加えてもよい。これらの変更、増減が加えられた変形例も本発明の範囲にあることは当業者に理解されるところである。
【００５３】
例えば、上記において、ＩＥＥＥ８０２．３に準拠するＬＡＮデータの伝送に本発明の技術を適用した例を説明したが、本発明の技術は、いかなるバーストデータの伝送にも適用することができる。
【００５４】
また、分かりやすいように、２つの入力ポート（ＬＡＮ入出力回路）を備えた伝送装置を例にしたが、本発明の技術は、２以上のいかなる数の入力ポートを有する伝送装置にも適用することができる。
【図面の簡単な説明】
【００５５】
【図１】本発明の原理を説明するためのデータ伝送装置の模式図である。
【図２】本発明の実施の形態にかかるデータ伝送システムを示す図である。
【図３】送信バッファに格納されたデータ量の例を示す図である。
【図４】図３に示すデータ量の場合における送信バッファ読出イネーブル信号と読出ＬＡＮデータとの関係の例を示す図である。
【図５】図４に示す帯域割当により得られた無線フレームを示す図である。
【図６】送信バッファに格納されたデータの量が割当られた帯域に満たない例を示す図である。
【図７】図２に示すデータ伝送システムの伝送装置が、図６に示す例の場合における帯域割当の手法を説明するための図である（その１）。
【図８】図２に示すデータ伝送システムの伝送装置が、図６に示す例の場合における帯域割当の手法を説明するための図である（その２）。
【符号の説明】
【００５６】
５０  データ伝送装置
５１  入力ポート
５２  入力ポート
６０  トラフィック量監視部
７０  帯域割当部
８０  多重化処理部
９０  データ伝送システム
１００  伝送装置
１０１  ＬＡＮ入出力回路
１０２  ＬＡＮ入出力回路
１１１  送信バッファ
１１２  送信バッファ
１２０  リンク状態監視回路
１３０  データ量取得回路
１４０  制御情報生成回路
１５０  多重化処理部
１５１  ペイロード多重回路
１５２  オーバーヘッド多重回路
１６０  無線送受信回路
１７０  分離処理部
１７１  抽出回路
１７２  オーバーヘッド情報処理回路
１７３  ＬＡＮデータ抽出回路
１８１  受信バッファ
１８２  受信バッファ
１９０  無線伝送路
２００  伝送装置
【図１】
0004998367.tif 000002
【図２】
0004998367.tif 000003
【図３】
0004998367.tif 000004
【図４】
0004998367.tif 000005
【図５】
0004998367.tif 000006
【図６】
0004998367.tif 000007
【図７】
0004998367.tif 000008
【図８】
0004998367.tif 000009